(57)【特許請求の範囲】
【請求項１】
ａ．垂直方向とこの下端に続く水平方向の管によりＬ字状に形成した給水ヘッダー１０と、
ｂ．垂直方向とこの上端に続く水平方向の管により到Ｌ字状に形成した集湯ヘッダー１２と、
ｃ．前記給水ヘッダー１０を正面視左下隅に配置し、集湯ヘッダー１２を右上隅に配置して正面視四角形状に形成した枠型と、
ｄ．前記枠型において、給水ヘッダー１０から集湯ヘッダー１２に対し、右上りの勾配をつけて平行に取り付けられた集熱管１３と、
ｅ．前記給水ヘッダー１０に結ばれた給水管１１と、
ｆ．前記集湯ヘッダー１２に結ばれた給湯配管１４と、
ｇ．から成る竪設置型ソーラーシステム。
【発明の詳細な説明】
【０００１】
【発明の属する技術分野】
本発明は、外形寸法に対して最大限に有効集熱面積を確保して集熱効率（性能）を高めるようにしたくみ置き型又は自然循環型又は強制循環型のソーラーシステムに関するものである。
【０００２】
【従来の技術】
ソーラーシステムの性能は、集熱面積を如何に確保するかにかかっており、性能を高めようとすると、必然的に大型化してしまうという問題がある。
このため、従来のソーラーシステムは、自然循環型方式のように、屋根の上に設置する方式が大部分であるが、集合住宅においてもこのソーラーシステムの設置を希望する例が多い。この際、集合住宅においては、屋根の上に設置する方式を採れないため、ベランダに設置することになる。しかし、通常のベランダは狭いことが多く、また、システム的には、図５に示すように、給水ヘッダー２と集湯ヘッダー３間に集熱管１を配置したベランダ設置可能なくみ置き型ソーラーシステムの場合、小型のものでも２ｍ四方前後の大きさを有することから、大きさ的にベランダ設置が不可能な場合が多い。そこで、比較的ゆとりのある横方向の長さを大きくとり、その分高さを抑えるように工夫した図６に示す横長タイプのくみ置き型ソーラーシステムも提案されている。
【０００３】
【発明が解決しようとする課題】
しかし、従来のくみ置き型のソーラーシステムの場合、仮にベランダ設置が可能であっても、これを設置するとベランダの有効面積の殆どをソーラーシステムが占めてしまい、これがネックとなっている。また、図６に示すような横長タイプのソーラーシステムの場合、集熱管を斜めに取り付けていることから、上下方向の隅の部分にデッドスペースａ、ａ′が発生し、この分大きさに対する有効集熱面積が小さくなるという問題がある。
【０００４】
以上のような理由から、くみ置き型のソーラーシステムをベランダに設置するには障害が多いことから、集合住宅において、ソーラーシステムを取り付けようとすると、小型のソーラーシステムをベランダに設置し、別に貯湯槽を設けた強制循環方式を採用せざるを得ないことが多い。しかし、この方式は、電力費、イニシャルコストの問題がある。また、貯湯槽をベランダに設置する場合、この設置スペースが必要であるばかりでなく、ベランダの補強工事を行う必要がある場合もある。
【０００５】
本発明は斯る点に鑑みて提案されるものであって、ベランダに設置可能な大きさであるにもかかわらず、くみ置き型としても実用化の可能なソーラーシステムを提供することが目的である。
【０００６】
【課題を解決するための手段】
本発明に係るソーラーシステムの構成は次のとおりである。
１．  ａ．垂直方向とこの下端に続く水平方向の管によりＬ字状に形成した給水ヘッダー １０と、
ｂ．垂直方向とこの上端に続く水平方向の管により到Ｌ字状に形成した集湯ヘッダ ー１２と、
ｃ．前記給水ヘッダー１０を正面視左下隅に配置し、集湯ヘッダー１２を右上隅に 配置して正面視四角形状に形成した枠型と、
ｄ．前記枠型において、給水ヘッダー１０から集湯ヘッダー１２に対し、右上りの 勾配をつけて平行に取り付けられた集熱管１３と、
ｅ．前記給水ヘッダー１０に結ばれた給水管１１と、
ｆ．前記集湯ヘッダー１２に結ばれた給湯配管１４と、
ｇ．から成る竪設置型ソーラーシステム。
【００１０】
【作用】
ソーラーシステムをくみ置き型として利用する場合には、集熱管及び給水ヘッダーと集湯ヘッダー内に水を貯えておき、この水に太陽熱を吸収させるものである。又、自然循環型として利用する場合には、給水ヘッダー側に給水管を接続し、集湯ヘッダー側に給湯配管を接続し、強制循環型として利用する場合には、貯湯槽と循環ポンプを接続する。
【００１１】
【発明の実施の形態】
本発明に用いられる集熱管は、断面円形のもので、この集熱管は、給水ヘッダーと集湯ヘッダー間に勾配をつけて夫々平行に配置されている。給水ヘッダーと集湯ヘッダーは、Ｌ字状又は円弧状を呈しており、このＬ字状又は円弧状の給水ヘッダーと集湯ヘッダーは、互いを向かい合わせることにより、正面形状が四角形枠型又は円形を呈するように組み合わされている。給水ヘッダーと集湯ヘッダーの断面は円形又は四角形である。
【００１２】
【実施例】
図１及び図２に基づいて本発明の実施例を詳述する。符号の１０は給水ヘッダーであって、外形はＬ字状を呈しており、給水管１１が接続されている。１２は外形がＬ字状を呈している集湯ヘッダーであって、この集湯ヘッダー１２は、前記給水ヘッダー１０と互いに対向し、正面形状が四角形枠型を呈するように組み合わされている。
【００１３】
１３は前記給水ヘッダー１０と集湯ヘッダー１２で形成された枠内において、右方向に勾配をつけて給水ヘッダー１０と集湯ヘッダー１２間に接続された集熱管であって、この集熱管１３の外表面には、太陽熱の吸収性を高めるために、黒色の塗料が塗布されている。なお、集熱管１３の傾斜角は任意である。
１４は集湯ヘッダー１２で集合された温水を室内に送出するための給湯配管である。
【００１４】
図３は、上記実施例のソーラーシステムをベランダに設置して使用している状態の説明図であって、ソーラーシステムは金具１５等を用いてベランダ１６の手摺り枠１７に垂直に固定され、給湯配管１４を用いて室内の熱源機１８或いは台所、洗面所等に接続されている。図３中１９は室内の給湯配管、２０は浴槽、２１は台所、２２は追い焚き配管である。なお、上記施工例において、ソーラーシステムは垂直であるが、太陽熱の伝熱を考慮して、多少後方に傾斜して設置してもよい。
【００１５】
図４は、給水ヘッダー１０と集湯ヘッダー１２を円弧状に形成した例の説明図である。
実施例のソーラーシステムはくみ置き型ではあるが、自然循環型又は循環ポンプを用いた強制循環方式にもそのまま用いることができることは云うまでもない。
【００１６】
【発明の効果】
本発明は以上のように、給水ヘッダーと集湯ヘッダーをＬ字状又は円弧状に形成し、これを互いに対向させて四角形枠型又は円形となし、この間に集熱管に勾配をつけて配管したので、次の効果を奏する。
１．給水ヘッダーと集湯ヘッダーで形成された四角形の枠内の面積をすべて集熱管で埋め尽くすことができるので、外形の大きさに対する有効受熱面積（集熱管の配管面積）を大きくとることができるので、この分性能がアップする。
【００１７】
２．性能がアップした分、外形を小型化することができるため、くみ置き型として、狭いベランダに設置しても場所をとらない。
３．本発明に係るソーラーシステムは、ベランダ設置を主目的としているが、上記１、２に記述した効果ゆえに、ベランダ以外に設置して用いることもできる。
【図面の簡単な説明】
【図１】本発明に係るソーラーシステムの正面図。
【図２】Ａ−Ａ′線断面図。
【図３】本発明に係るソーラーシステムをベランダに設置した状態の説明図。
【図４】給水ヘッダーと集湯ヘッダーを円弧状に形成した例の説明図。
【図５】上下の給湯ヘッダーと集湯ヘッダー間に集熱管を垂直に配置した従来のくみ置き型ソーラーシステムの説明図。
【図６】上下の給湯ヘッダーと集湯ヘッダー間に集熱管を右方向に勾配をつけて配置した従来のくみ置き型ソーラーシステムの説明図。
【図７】貯湯槽を用いる強制循環型ソーラーシステムの説明図。
【符号の説明】
１０  給水ヘッダー
１１  給水管
１２  集湯ヘッダー
１３  集熱管
１４  給湯配管
１５  金具
１６  ベランダ
１７  手摺り枠
１８  熱源機
１９  給湯配管
２０  浴槽
２１  台所
２２  追い焚き配管
【図１】
0003852794.tif 000002
【図２】
0003852794.tif 000003
【図３】
0003852794.tif 000004
【図４】
0003852794.tif 000005
【図５】
0003852794.tif 000006
【図６】
0003852794.tif 000007
【図７】
0003852794.tif 000008